【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
テープ走行路に沿って処理テープを送りながら、当該処理テープの幅方向の片側一方に臨む打刻手段により、点字を打刻するテープ処理装置の制御方法において、
前記処理テープの幅方向における前記点字の打刻位置を設定する打刻位置設定工程と、
入力された文字情報と設定された前記点字の打刻位置とに基づいて、前記点字を打刻するための打刻データを作成する打刻データ作成工程と、
作成された前記打刻データに基づいて前記処理テープに点字を打刻する点字打刻工程と、を備え、
前記打刻データ作成工程は、設定された前記点字の打刻位置が、前記打刻手段と同じ側の前記幅方向の片側一方に寄せられている場合には、前記点字の読み方向の前端側から順に点字を打刻してゆく正方向打刻を行うように前記打刻データを作成し、
設定された前記点字の打刻位置が、前記打刻手段と反対側の前記幅方向の片側一方に寄せられている場合には、前記読み方向の後端側から上下反転させた点字を順に打刻してゆく逆方向打刻を行うように前記打刻データを作成することを特徴とするテープ処理装置の制御方法。
【請求項２】
前記処理テープには、前記読み方向の前後を識別するための前後識別情報が印刷されていることを特徴とする請求項１に記載のテープ処理装置の制御方法。
【請求項３】
前記前後識別情報に基づき、前記テープ走行路に送り込まれた前記処理テープの前後を検出する前後検出工程をさらに備え、
前記点字打刻工程では、前記打刻データ作成工程において正方向打刻を行うように前記打刻データを作成した場合であって、前記前後検出工程により前記処理テープが前記読み方向の後端側から送り込まれたことが検出された場合、並びに前記打刻データ作成工程において逆方向打刻を行うように前記打刻データを作成した場合であって、前記前後検出工程により前記処理テープが前記読み方向の前端側から送り込まれたことが検出された場合、前記点字打刻を禁止することを特徴とする請求項２に記載のテープ処理装置の制御方法。
【請求項４】
前記入力された文字情報と設定された前記点字の打刻位置とに基づいて、前記処理テープに墨字を印刷するための印刷データを作成する印刷データ作成工程と、
前記点字打刻工程に先立ち、作成された前記印刷データに基づいて、印刷手段により前記処理テープに墨字を印刷する墨字印刷工程と、をさらに備え、
前記印刷データ作成工程は、設定された前記打刻位置が前記打刻手段と同じ側の前記幅方向の片側一方に寄せられている場合には、前記墨字の読み方向の前端側から順に墨字を印刷してゆく正方向印刷を行うように前記印刷データを作成し、
設定された前記打刻位置が前記打刻手段と反対側の前記幅方向の片側一方に寄せられている場合には、前記読み方向の後端側から上下反転させた前記墨字を順に印刷してゆく逆方向印刷を行うように前記印刷データを作成することを特徴とする請求項１に記載のテープ処理装置の制御方法。
【請求項５】
前記テープ走行路は、前記印刷手段が臨む印刷用走行路と、前記印刷用走行路を経た前記処理テープが手差しで挿入され、前記打刻手段が臨む打刻用走行路と、から成り、
前記墨字印刷工程において、手差しで挿入される前記処理テープの前記打刻位置と前記打刻手段の配置位置とが合致するように、前記処理テープの手差し方向を指標する指標情報を印刷することを特徴とする請求項４に記載のテープ処理装置の制御方法。
【請求項６】
テープ走行路に沿って処理テープを送りながら、前記処理テープの幅方向の片側に点字を打刻するテープ処理装置において、
前記処理テープの幅方向の片側一方に臨み、点字を打刻する打刻手段と、
前記処理テープの幅方向における前記点字の打刻位置を設定する打刻位置設定手段と、
入力された文字情報、および設定された前記点字の打刻位置に基づいて打刻データを作成する打刻データ作成手段と、
作成した前記打刻データに基づいて前記打刻手段を制御する打刻制御手段と、を備え、
前記打刻データ作成手段は、設定された前記点字の打刻位置が、前記打刻手段と同じ側の前記幅方向の片側一方に寄せられている場合には、前記点字の読み方向の前端側から順に点字を打刻してゆく正方向打刻を行うように前記打刻データを作成し、
設定された前記点字の打刻位置が、前記打刻手段と反対側の前記幅方向の片側一方に寄せられている場合には、前記読み方向の後端側から上下反転させた点字を順に打刻してゆく逆方向打刻を行うように前記打刻データを作成することを特徴とするテープ処理装置。
【請求項７】
前記処理テープには、前記読み方向の前後を識別するための前後識別情報が印刷されていることを特徴とする請求項６に記載のテープ処理装置。
【請求項８】
前記前後識別情報に基づき、前記テープ走行路に送り込まれた前記処理テープの前後を検出する前後検出手段をさらに備え、
前記打刻制御手段は、前記打刻データ作成手段が正方向打刻を行うように前記打刻データを作成した場合であって、前記前後検出手段により前記処理テープが前記読み方向の後端側から送り込まれたことが検出された場合、並びに前記打刻データ作成手段が逆方向打刻を行うように前記打刻データを作成した場合であって、前記前後検出手段により前記処理テープが前記読み方向の前端側から送り込まれたことが検出された場合、前記点字打刻を禁止することを特徴とする請求項７に記載のテープ処理装置。
【請求項９】
前記打刻手段による点字の打刻に先立って、前記処理テープに墨字を印刷する印刷手段と、
前記入力された文字情報、および設定された前記点字の打刻位置に基づいて、墨字を印刷するための印刷データを作成する印刷データ作成手段と、
作成された前記印刷データに基づいて、前記印刷手段を制御する印刷制御手段と、をさらに備え、
前記印刷データ作成手段は、設定された前記打刻位置が前記打刻手段と同じ側の前記幅方向の片側一方に寄せられている場合には、前記墨字の読み方向の前端側から順に墨字を印刷してゆく正方向印刷を行うように前記印刷データを作成し、
設定された前記打刻位置が前記打刻手段と反対側の前記幅方向の片側一方に寄せられている場合には、前記読み方向の後端側から上下反転させた墨字を順に印刷してゆく逆方向印刷を行うように前記印刷データを作成することを特徴とする請求項６に記載のテープ処理装置。
【請求項１０】
前記テープ走行路は、前記印刷手段が臨む印刷用走行路と、前記印刷用走行路を経た前記処理テープが手差しで挿入され、前記打刻手段が臨む打刻用走行路と、から成り、
前記印刷制御手段は、手差しで挿入される前記処理テープの前記打刻位置と前記打刻手段の配置位置とが合致するように、前記処理テープの手差し方向を指標する指標情報を印刷させることを特徴とする請求項９に記載のテープ処理装置。
【請求項１１】
前記処理テープは、裏面に粘着剤を塗着した記録テープと前記粘着剤を介して前記記録テープの裏面に貼着した剥離テープとから成り、
印刷後の前記処理テープをフルカットするフルカット手段と、
前記処理テープの前記記録テープのみを前記打刻位置の外側でカットするハーフカット手段と、をさらに備え、
前記印刷制御手段は、前記ハーフカット手段により形成される前記記録テープの捨て代部に前記指標情報を印刷させることを特徴とする請求項１０に記載のテープ処理装置。
【請求項１２】
前記ハーフカット手段は、前記処理テープの手差し方向先端側に前記捨て代部を形成することを特徴とする請求項１１に記載のテープ処理装置。
【請求項１３】
コンピュータを、請求項６ないし１２のいずれかに記載のテープ処理装置における各手段として機能させるためのプログラム。
【手続補正２】
【補正対象書類名】明細書
【補正対象項目名】０００５
【補正方法】変更
【補正の内容】
【０００５】
本発明のテープ処理装置の制御方法は、テープ走行路に沿って処理テープを送りながら、処理テープの幅方向の片側一方に臨む打刻手段により、点字を打刻するテープ処理装置の制御方法において、処理テープの幅方向における点字の打刻位置を設定する打刻位置設定工程と、入力された文字情報と設定された点字の打刻位置とに基づいて、点字を打刻するための打刻データを作成する打刻データ作成工程と、作成された打刻データに基づいて処理テープに点字を打刻する点字打刻工程と、を備え、打刻データ作成工程は、設定された点字の打刻位置が、打刻手段と同じ側の幅方向の片側一方に寄せられている場合には、点字の読み方向の前端側から順に点字を打刻してゆく正方向打刻を行うように打刻データを作成し、設定された点字の打刻位置が、打刻手段と反対側の幅方向の片側一方に寄せられている場合には、読み方向の後端側から上下反転させた点字を順に打刻してゆく逆方向打刻を行うように打刻データを作成することを特徴とする。
【手続補正３】
【補正対象書類名】明細書
【補正対象項目名】０００６
【補正方法】変更
【補正の内容】
【０００６】
本発明のテープ処理装置は、テープ走行路に沿って処理テープを送りながら、処理テープの幅方向の片側に点字を打刻するテープ処理装置において、処理テープの幅方向の片側一方に臨み、点字を打刻する打刻手段と、処理テープの幅方向における点字の打刻位置を設定する打刻位置設定手段と、入力された文字情報、および設定された点字の打刻位置に基づいて打刻データを作成する打刻データ作成手段と、作成した打刻データに基づいて打刻手段を制御する打刻制御手段と、を備え、打刻データ作成手段は、設定された点字の打刻位置が、打刻手段と同じ側の幅方向の片側一方に寄せられている場合には、点字の読み方向の前端側から順に点字を打刻してゆく正方向打刻を行うように打刻データを作成し、設定された点字の打刻位置が、打刻手段と反対側の幅方向の片側一方に寄せられている場合には、読み方向の後端側から上下反転させた点字を順に打刻してゆく逆方向打刻を行うように打刻データを作成することを特徴とする。
【手続補正４】
【補正対象書類名】明細書
【補正対象項目名】０００９
【補正方法】変更
【補正の内容】
【０００９】
この場合、処理テープには、読み方向の前後を識別するための前後識別情報が印刷されていることが、好ましい。
【手続補正５】
【補正対象書類名】明細書
【補正対象項目名】００１０
【補正方法】変更
【補正の内容】
【００１０】
この構成によれば、点字打刻を行う処理テープには、その読み方向における前後を識別するための前後識別情報が印刷されているため、点字打刻を行う装置にユーザが手差しで処理テープを挿入する（手動で案内挿入した）場合、処理テープの前後を誤って挿入することがない。また、墨字印刷後の処理テープを使用する場合は、墨字印刷の内容が上下（前後）判別不可能（例えば、矢印のマークや数字のゼロなど）であっても、前後識別情報が印刷されているため、上下（前後）を間違えて貼付されることがない。
【手続補正６】
【補正対象書類名】明細書
【補正対象項目名】００１３
【補正方法】変更
【補正の内容】
【００１３】
この構成によれば、設定された打刻位置が基本のレイアウト構成であって、処理テープが後端側から送り込まれた場合、或いは設定された打刻位置が基本のレイアウト構成と逆の領域であって、処理テープが前端側から送り込まれた場合、点字データを１８０°回転させた状態で打刻するため、処理テープの前後が誤って送り込まれても、設定された点字打刻領域に正常な点字打刻を行うことができる。
【手続補正７】
【補正対象書類名】明細書
【補正対象項目名】００１４
【補正方法】変更
【補正の内容】
【００１４】
上記の場合、入力された文字情報と設定された点字の打刻位置とに基づいて、処理テープに墨字を印刷するための印刷データを作成する印刷データ作成工程と、点字打刻工程に先立ち、作成された印刷データに基づいて、印刷手段により処理テープに墨字を印刷する墨字印刷工程と、をさらに備え、印刷データ作成工程は、設定された打刻位置が打刻手段と同じ側の幅方向の片側一方に寄せられている場合には、墨字の読み方向の前端側から順に墨字を印刷してゆく正方向印刷を行うように印刷データを作成し、設定された打刻位置が打刻手段と反対側の幅方向の片側一方に寄せられている場合には、読み方向の後端側から上下反転させた墨字を順に印刷してゆく逆方向印刷を行うように印刷データを作成することが、好ましい。
またこの場合、テープ走行路は、印刷手段が臨む印刷用走行路と、印刷用走行路を経た処理テープが手差しで挿入され、打刻手段が臨む打刻用走行路と、から成り、墨字印刷工程において、手差しで挿入される処理テープの打刻位置と打刻手段の配置位置とが合致するように、処理テープの手差し方向を指標する指標情報を印刷することが、好ましい。
【手続補正８】
【補正対象書類名】明細書
【補正対象項目名】００１５
【補正方法】変更
【補正の内容】
【００１５】
同様に、打刻手段による点字の打刻に先立って、処理テープに墨字を印刷する印刷手段と、入力された文字情報、および設定された点字の打刻位置に基づいて、墨字を印刷するための印刷データを作成する印刷データ作成手段と、作成された印刷データに基づいて、印刷手段を制御する印刷制御手段と、をさらに備え、印刷データ作成手段は、設定された打刻位置が打刻手段と同じ側の幅方向の片側一方に寄せられている場合には、墨字の読み方向の前端側から順に墨字を印刷してゆく正方向印刷を行うように印刷データを作成し、設定された打刻位置が打刻手段と反対側の幅方向の片側一方に寄せられている場合には、読み方向の後端側から上下反転させた墨字を順に印刷してゆく逆方向印刷を行うように印刷データを作成することが、好ましい。
【手続補正９】
【補正対象書類名】明細書
【補正対象項目名】００１７
【補正方法】変更
【補正の内容】
【００１７】
この場合、テープ走行路は、印刷手段が臨む印刷用走行路と、印刷用走行路を経た処理テープが手差しで挿入され、打刻手段が臨む打刻用走行路と、から成り、印刷制御手段は、手差しで挿入される処理テープの打刻位置と打刻手段の配置位置とが合致するように、処理テープの手差し方向を指標する指標情報を印刷させることが、好ましい、
この場合、処理テープは、裏面に粘着剤を塗着した記録テープと粘着剤を介して記録テープの裏面に貼着した剥離テープとから成り、印刷後の処理テープをフルカットするフルカット手段と、処理テープの記録テープのみを打刻位置の外側でカットするハーフカット手段と、をさらに備え、印刷制御手段は、ハーフカット手段により形成される記録テープの捨て代部に指標情報を印刷させることが、好ましい。
そして、ハーフカット手段は、処理テープの手差し方向先端側に捨て代部を形成することが、好ましい。
【手続補正１０】
【補正対象書類名】明細書
【補正対象項目名】００２３
【補正方法】変更
【補正の内容】
【００２３】
図１は、ラベル作成装置１の閉蓋状態の外観斜視図であり、図２は、ラベル作成装置１の開蓋状態の外観斜視図である。両図に示すようにラベル作成装置１は、手持ち部分１３を有する装置ケース２により外郭が形成され、当該装置ケース２は、前部ケース２ａと後部ケース２ｂとが一体形成されている。前部ケース２ａは、墨字印刷部１２０を有し、テープカートリッジＣから繰り出される処理テープＴに対して墨字印刷を行う。また、後部ケース２ｂは、点字打刻部１５０を有し、ユーザが処理テープＴを手差し挿入する（ユーザが処理テープＴを指先で把持し、これを点字打刻部１５０に案内挿入する）ことにより点字打刻を行う。
【手続補正１１】
【補正対象書類名】明細書
【補正対象項目名】００２８
【補正方法】変更
【補正の内容】
【００２８】
モード選択キーによって選択される処理モードとしては、入力された文字情報に基づいて墨字印刷および点字打刻を行う第１処理モード（図８（ａ）参照）、入力された文字情報に基づいて墨字印刷のみを行う第２処理モード（図８（ｂ）参照）、入力された文字情報に基づいて点字打刻のみを行う第３処理モード（図８（ｃ）参照）があり、これらの中からいずれか１つの処理モードが選択される。なお、以下では主に第１処理モードに設定されている場合について説明する。また、詳細については後述するが、レイアウト設定キーでは、使用する処理テープＴのテープ幅に応じて定められた幾つかのレイアウトの中から１つのレイアウトが選択（設定）される。
【手続補正１２】
【補正対象書類名】明細書
【補正対象項目名】００３９
【補正方法】変更
【補正の内容】
【００３９】
ここで、図３を参照し、処理テープＴ（Ｔ３：テープ幅１２ｍｍ）上に形成される点字Ｂ（６点点字Ｂ）について説明する。図３（ａ）は、文字情報「し」を表す点字（点字データ）Ｂを示す図である。図３に示すように、６点点字Ｂは、縦３個×横２個の６個の点（打刻ドット）で１マス２００が構成され、当該１マス２００で、１文字または濁点等の属性が表現される。なお、点字Ｂには、このような仮名文字や数字等を表す６点点字Ｂの他、漢字を表す８点点字（１マスが縦４個×横２個の点で構成される点字）も使用されている。ここでは、６点点字Ｂを形成する場合を例に挙げて説明するが、８点点字を形成するラベル作成装置においても当然本発明は適用可能である。
【手続補正１３】
【補正対象書類名】明細書
【補正対象項目名】００４０
【補正方法】変更
【補正の内容】
【００４０】
６点点字Ｂは、１マス２００が縦３個×横２個の配置パターンで６個の打刻ポイント２０１ａ〜２０１ｆに分割されており、図３では、６個の打刻ポイント２０１ａ〜２０１ｆのうち４個の打刻ポイント２０１ａ，２０１ｂ，２０１ｅ，２０１ｆが選択的に打刻されて、処理テープＴ上に４個の打刻凸部２０２ａ，２０２ｂ，２０２ｅ，２０２ｆが形成されている。また、６個の打刻凸部２０２は、縦方向のピッチが略２．４ｍｍ、横方向のピッチが略２．１ｍｍ、隣接マスの点までの（マス間）ピッチは略３．３ｍｍとなっている。また、６点点字Ｂを打刻するためには、１マス２００の大きさ（テープ幅方向長さ）から換算して、最低限テープ幅１２ｍｍ（処理テープＴ３）が必要となっている。
【手続補正１４】
【補正対象書類名】明細書
【補正対象項目名】００４１
【補正方法】変更
【補正の内容】
【００４１】
図３（ｂ）は、打刻凸部２０２の断面形状である。図３に示すように、打刻凸部２０２の形状は、角の丸まった円筒形である。なお、打刻凸部２０２の形状は、触感が良ければ、他の形状、例えば半球形、円錐形、四角錐形等であってもよい。
【手続補正１５】
【補正対象書類名】明細書
【補正対象項目名】００４３
【補正方法】変更
【補正の内容】
【００４３】
次に、図４を参照し、打刻ユニット８０の構成について説明する。図４（ａ）は打刻ユニット８０を図１における上側から見た平面図であり、図４（ｂ）は打刻ユニット８０の断面図である。図４（ａ）は、墨字印刷後の処理テープＴ（テープ幅１２ｍｍ）が、打刻テープ挿入口３１から手差し挿入によりテープ走行路７０に送り込まれ、打刻テープ排出口３２に向かって処理テープＴが送られていく状態を示したものである。
【手続補正１６】
【補正対象書類名】明細書
【補正対象項目名】００４４
【補正方法】変更
【補正の内容】
【００４４】
打刻ヘッド８１は、テープ幅方向（図４（ａ）における上下方向）に沿って、２．４ｍｍの間隔で配列された３個の打刻ピン４１を備えており、６個の打刻ポイント２０１のうち縦３個の打刻ポイント２０１に対応していると共に、ソレノイド４７を駆動源とした直線運動をガイドするガイドブロック４５によって、処理テープＴに対し垂直に保持されている。打刻ピン４１の頭部４１ａは、打刻した打刻凸部２０２の形状が角の丸まった円筒形となるように、角の丸まった円筒形に形成されている。なお、打刻凸部２０２の形状を他の形状、例えば半球形、円錐形、四角錐形等にする場合には、打刻ピン４１の頭部４１ａの形状も、それに相補的な形状に形成される。
【手続補正１７】
【補正対象書類名】明細書
【補正対象項目名】００６０
【補正方法】変更
【補正の内容】
【００６０】
次に、図７、図８および図９を参照し、ラベル作成装置１の全体処理について説明する。図７に示すように、電源キーの押下（電源オン）により処理が開始されると、まず、前回の電源オフ時の状態に戻すために、退避していた各制御フラグを復旧するなどの初期設定を行い（Ｓ１０）、テープ識別センサ１７１（図６参照）により、テープ種別を検出する（Ｓ１１）。なお、本実施形態では、テープ種別としてテープ幅（処理テープＴ１：２４ｍｍ、処理テープＴ２：１８ｍｍ、処理テープＴ３：１２ｍｍ，図９参照）を検出するものとする。
【手続補正１８】
【補正対象書類名】明細書
【補正対象項目名】００６２
【補正方法】変更
【補正の内容】
【００６２】
例えば、処理モードが第１処理モードに設定されているものとすると、図９に示すように、テープ幅の検出結果が２４ｍｍ（処理テープＴ１）の場合は（図９（ａ）参照）、墨字印刷領域Ｅｐが上段，点字打刻領域Ｅｂが下段（ａ―１）、または墨字印刷領域Ｅｐが下段，点字打刻領域Ｅｂが上段（ａ―２）のいずれかのレイアウトが選択される。なお、処理テープＴの上下は、前後識別情報Ｄをテープ挿入方向（左向き）とし、且つ記録テープＴ１を表側としたときの上下を指すものである。また、テープ幅の検出結果が１８ｍｍ（処理テープＴ２）の場合も（図９（ｂ）参照）、墨字印刷領域Ｅｐが上段，点字打刻領域Ｅｂが下段（ｂ―１）、または墨字印刷領域Ｅｐが下段，点字打刻領域Ｅｂが上段（ｂ―２）のいずれかが選択されることとなるが、この場合テープ幅に合わせて墨字印刷領域Ｅｐのテープ幅方向が狭幅となる。また、テープ幅の検出結果が１２ｍｍ（処理テープＴ３）の場合は（図９（ｃ）参照）、墨字印刷領域Ｅｐと点字打刻領域Ｅｂが重なり合ったレイアウトのみとなるため、テープ幅の検出結果が１２ｍｍであって、第１処理モードに設定された場合、ユーザによるレイアウトの選択は為されない。
【手続補正１９】
【補正対象書類名】明細書
【補正対象項目名】００６９
【補正方法】変更
【補正の内容】
【００６９】
次に、図１０および図１１を参照し、ラベル作成装置１の点字打刻処理について説明する。なお、ここでは、テープ幅が２４ｍｍ（処理テープＴ１）と検出され（図７のＳ１１参照）、処理モードが第１処理モードに設定された場合（図７のＳ１３参照）を例に挙げて説明する。
【手続補正２０】
【補正対象書類名】明細書
【補正対象項目名】００７８
【補正方法】変更
【補正の内容】
【００７８】
また、図１１（ｂ）に示すとおり、基本と逆のレイアウト構成（ａ―２）に設定されている場合は、処理テープＴを後端側から挿入しなければならない（打刻ユニット８０による打刻が不可能となってしまう）が（図１１（ｄ）参照）、先端検出センサ９１によりテープ先端を検出した後、所定長さのテープ送りの間に前後識別センサ９２により前後識別情報Ｄを検出した場合は、ユーザが間違って処理テープＴの前端側から挿入したと判断し、打刻を禁止する。
【手続補正２１】
【補正対象書類名】明細書
【補正対象項目名】００７９
【補正方法】変更
【補正の内容】
【００７９】
また、図１１（ｃ）に示すとおり、基本のレイアウト構成（ａ―１）に設定されている場合は、処理テープＴを前端側から挿入しなければならないが（図１１（ａ）参照）、先端検出センサ９１によりテープ先端を検出した後、所定長さのテープ送りの間に前後識別センサ９２により前後識別情報Ｄを検出しない場合は、ユーザが間違って処理テープＴの後端側から挿入したと判断し、この場合も打刻を禁止する。
【手続補正２２】
【補正対象書類名】明細書
【補正対象項目名】００８０
【補正方法】変更
【補正の内容】
【００８０】
また、図１１（ｄ）に示すとおり、基本と逆のレイアウト構成（ａ―２）に設定されている場合は、上記のとおり処理テープＴを後端側から挿入する必要があるが、先端検出センサ９１によりテープ先端を検出した後、所定長さのテープ送りの間に前後識別センサ９２により前後識別情報Ｄを検出しないことにより、処理テープＴが後端側から正しく挿入されたものと判断した場合は、反転点字データブロック２３５（図６参照）内の反転点字データＢ´（図９（ａ）参照）を読み出して点字打刻を行う（点字データの終端側から打刻する）。なお、「点字データの終端側から打刻する（点字データを１８０°回転させた状態で打刻する）」とは、後余白データ、最後の文字（ここでは、「う」）の右列縦３個の打刻ポイント２０１ｄ，ｅ，ｆ（図３（ａ）参照）に相当するデータを１８０°回転させたデータ、最後の文字（ここでは、「う」）の左列縦３個の打刻ポイント２０１ａ，ｂ，ｃに相当するデータを１８０°回転させたデータ、最後から二番目の文字（ここでは、「い」）の右列縦３個の打刻ポイント２０１ｄ，ｅ，ｆに相当するデータを１８０°回転させたデータ、・・・の順に打刻を行い、最後に前余白データの打刻を行うことを指すものである。
【手続補正２３】
【補正対象書類名】明細書
【補正対象項目名】００８３
【補正方法】変更
【補正の内容】
【００８３】
なお、上記では、テープ幅が２４ｍｍ（処理テープＴ１）と検出され（図７のＳ１１参照）、処理モードが第１処理モードに設定された場合（図７のＳ１３参照）について説明したが、テープ幅が１８ｍｍ（処理テープＴ２）の場合も、点字打刻領域Ｅｂが基本のレイアウト構成（ｂ−１）に設定され、且つテープ挿入方向が上下反転している場合、並びに点字打刻領域Ｅｂが基本と逆のレイアウト構成（ｂ−２）に設定され、且つ処理テープＴが上下正しく挿入された場合は打刻禁止となる（図９（ｂ）参照）。また、テープ幅が１２ｍｍ（処理テープＴ３）の場合は、点字打刻領域Ｅｂは必然的に基本のレイアウト構成となるため、テープ挿入方向が上下反転している場合は打刻禁止となる（図９（ｃ）参照）。なお、処理モードが第３処理モード（点字打刻のみ）に設定された場合についても、同様の打刻制御となる。
【手続補正２４】
【補正対象書類名】明細書
【補正対象項目名】００８５
【補正方法】変更
【補正の内容】
【００８５】
次に、図１２を参照し、墨字印刷部１２０によって印刷される前後識別情報Ｄの他の例を説明する。すなわち、前後識別情報Ｄは、図１２（ａ）に示すような左下先端部の点「・」に限らず、他の形態であっても良い。
【手続補正２５】
【補正対象書類名】明細書
【補正対象項目名】００８６
【補正方法】変更
【補正の内容】
【００８６】
例えば、図１２（ｂ）は、左下先端部に１つの点「・」、また右上後端部に近接して並んだ２つの点「・・」を印刷したものである。このように、処理テープＴの左下先端部と右上後端部に異なるマークを印刷することによって、テープ先端検出後、いずれのマークを検出したかによって処理テープＴの送り方向における前後を判別することができる。すなわち、テープ先端検出後、検出誤差を考慮した所定長さのテープ送りを待たずともより迅速に処理テープＴの前後を判別することができる。
【手続補正２６】
【補正対象書類名】明細書
【補正対象項目名】００８７
【補正方法】変更
【補正の内容】
【００８７】
また、図１２（ｃ）に示すように、予め短冊状、且つ処理テープＴの送り方向における先端部寄りまたは後端部寄りの記録テープＴ１が幅方向にハーフカットされることにより捨て代部Ｔａが形成された処理テープＴ１０を用いる場合（すなわち、ラベル作成装置１が、テープカートリッジＣから繰り出される処理テープＴに対して墨字Ｐの印刷を行う構成ではなく、予め短冊状且つハーフカット付きの処理テープが手差し挿入されることにより墨字Ｐの印刷を行う構成である場合）は、その捨て代部Ｔａに前後識別情報Ｄ（この場合、テープ先端部付近に付された「前」の文字情報）を印刷するようにしても良い。この構成によれば、前後識別情報Ｄを、一般に剥離テープＴ２の剥離を容易にするために設けられる捨て代部Ｔａに印刷するため、墨字印刷が行われる情報記録部Ｔｂを損ねることがない。また、前後識別情報Ｄとして文字情報を印刷することにより、処理テープＴの前後をより分かり易く指標することができる。なお、切断部１４０（図６参照）が長尺状のテープＴにハーフカットを行い得る構成の場合は、長尺状の処理テープＴにハーフカットを行うことで形成される捨て代部Ｔａに、前後識別情報Ｄを印刷するようにしても良い。また、ハーフカットは、切断部１４０ではなく、点字打刻部１５０で点字打刻の前後に（または点字打刻を行いながら）行われても良いし、独立してハーフカットを行う機構を備えても良い。
【手続補正２７】
【補正対象書類名】明細書
【補正対象項目名】００８８
【補正方法】変更
【補正の内容】
【００８８】
また、図１２（ａ）〜（ｃ）の例に示すように、墨字印刷部１２０によって、前後識別情報Ｄを印刷するのではなく、図１２（ｄ）に示すように、予め処理テープＴの前端部付近にテープ幅方向と平行なラインが付され、このラインによって処理テープＴの前端側が識別可能な処理テープＴ２０を用いても良い。この構成によれば、墨字印刷部１２０による前後識別情報Ｄの印刷処理を省略することができる。なお、図示の処理テープＴ２０のようにラインを付すのではなく、予め特定のマークを処理テープＴの前端付近または後端付近に付しておくようにしても良い。
【手続補正２８】
【補正対象書類名】明細書
【補正対象項目名】００８９
【補正方法】変更
【補正の内容】
【００８９】
また、図１２（ｅ）に示すように、予め処理テープＴの裏面（剥離紙）に、処理テープＴの前後（テープ挿入方向）を識別するためのメッセージを記載した処理テープＴ３０を用いても良い。この構成によれば、具体的且つ分かり易く処理テープＴの前後を指標することができると共に、表面を損ねることがない。
【手続補正２９】
【補正対象書類名】明細書
【補正対象項目名】００９０
【補正方法】変更
【補正の内容】
【００９０】
また、図１２（ｆ）に示すように、前後識別情報Ｄとして、前後（テープ挿入方向）を指標する代わりに処理テープＴの幅方向における上下を指標するマークを印刷するようにしても良い。すなわち、図示の例の場合、上向き矢印のマークによって上方向を示しているが、本実施形態のラベル作成装置１では、装置の右側部から処理テープＴを挿入する構成となっているため（図１参照）、処理テープＴの表面を表側にし、矢印の方向を上側とした状態で挿入することで、処理テープＴの前後を間違いなく挿入することができる。また、当該矢印の方向は、処理テープＴ上に打刻される点字Ｂの上下にも合致するため、例えば点字打刻のみが施された処理テープＴであっても、処理テープＴの上下を間違うことなく貼付することができる。なお、この場合、テープ幅方向におけるマークの位置に合わせて、前後識別センサ９２が配設されることが好ましい。また、矢印マークに限らず、テープ先端付近の下端部または上端部に点「・」を印刷することで処理テープＴの上下を指標するようにしても良い。
【手続補正３０】
【補正対象書類名】明細書
【補正対象項目名】００９１
【補正方法】変更
【補正の内容】
【００９１】
なお、前後識別情報Ｄは、図１２（ａ）〜（ｆ）の例に示したもののいずれかに限定するのではなく、複数の選択肢をメモリ（ＲＯＭ２２０等）内に記憶させておき、それらの中からユーザが好みの前後識別情報Ｄを選択可能に構成しても良い。また、ユーザがキーボード３を用いて、前後識別情報Ｄの形態、配置および個数を設定可能としても良い。但し、前後識別情報Ｄのテープ幅方向における配置を設定可能とする場合は、前後識別センサ９２の個数を複数設けたり、前後識別センサ９２をテープ幅方向に移動可能に構成する必要がある。
【手続補正３１】
【補正対象書類名】明細書
【補正対象項目名】００９３
【補正方法】変更
【補正の内容】
【００９３】
また、墨字印刷後の処理テープＴには、その送り方向における前後を識別するための前後識別情報Ｄが印刷されているため、点字打刻部１５０にユーザが手差しにより処理テープＴを挿入する場合、処理テープＴの前後を誤って挿入することがない。また、墨字印刷の内容が上下（前後）判別不可能なものである場合（例えば、矢印のマークや数字のゼロなど）であっても、前後識別情報が印刷されているため、上下（前後）を間違えて貼付されることがない。また、設定された点字打刻領域Ｅｂが基本のレイアウト構成であって、処理テープＴが後端側から送り込まれた場合、或いは設定された点字打刻領域Ｅｂが基本のレイアウト構成と逆の領域であって、処理テープＴが先端側から送り込まれた場合、点字データを１８０°回転させた状態で打刻するため、処理テープＴの前後が誤って送り込まれても、設定された点字打刻領域Ｅｂに正常な点字打刻を行うことができる。
【手続補正３２】
【補正対象書類名】明細書
【補正対象項目名】００９８
【補正方法】変更
【補正の内容】
【００９８】
また、墨字印刷領域Ｅｐと点字打刻領域Ｅｂのレイアウトの設定（図７のＳ１４参照）は、処理モード選択（図７のＳ１３参照）後ではなく、レイアウト設定キーの押下により予め行っておいても良い。またこの場合、テープ幅別にレイアウトが設定され、テープ幅の検出（図７のＳ１１参照）によって一義的にレイアウトが決定されることが好ましい。この構成によれば、墨字印刷および／または点字打刻の実行毎にレイアウト設定を行う手間を省くことができる。
【手続補正３３】
【補正対象書類名】明細書
【補正対象項目名】０１１０
【補正方法】変更
【補正の内容】
【０１１０】
このときの制御フローを図１６に示す。図１６に示すように、打刻キーが押釦されると（Ｓ５１）、先ず、処理テープＴの幅設定が確認される。このとき、設定された処理テープＴの幅が１２ｍｍのとき（Ｓ５２：Ｙｅｓ）は、入力された点字データに基づいて、点字打刻データとして正方向打刻データを作成する（Ｓ５３）。一方、設定された処理テープＴの幅が、１８ｍｍおよび２４ｍｍのとき（Ｓ５２：Ｎｏ）は、点字レイアウトの設定をさらに確認する。そして、「点字下段レイアウト」が設定されていれば（Ｓ５６：Ｙｅｓ）、点字打刻データとして正方向打刻データを作成し（Ｓ５３）、「点字上段レイアウト」が設定されていれば（Ｓ５６：Ｎｏ）、点字打刻データとして逆方向打刻データを作成する（Ｓ５７）。
【手続補正３４】
【補正対象書類名】明細書
【補正対象項目名】０１１６
【補正方法】変更
【補正の内容】
【０１１６】
入力データの入力後、ユーザにより印刷キーが押釦されると、まず、入力データに基づいてラベルデータが作成される。図２０は、ラベルデータ作成の制御フローを示した図である。図２０に示すように、印刷キーが押釦されると（Ｓ６１）、先ず、処理テープＴの幅設定が確認される。このとき、テープ識別センサ１７１で検出された処理テープＴの幅が１２ｍｍのとき（Ｓ６２：Ｙｅｓ）は、入力された墨字データに基づいて、墨字印刷データとして（ラベルの）読み方向先端側から、読み方向に墨字印刷を行わせるための正方向印刷データを作成する（Ｓ６３）。そして、正方向印刷データの作成が終了すると、続いて、点字打刻データとして正方向打刻データを作成する（Ｓ６４）。
【手続補正３５】
【補正対象書類名】明細書
【補正対象項目名】０１１８
【補正方法】変更
【補正の内容】
【０１１８】
このように、点字打刻データだけではなく、墨字印刷データも、設定された（ラベルの）点字レイアウトに基づいて作成される。点字打刻データは、上記した「点字のみ」の処理モードの場合と同様に、打刻ユニット８０に臨む処理テープＴの幅方向の片側一方の位置が、ラベルの幅方向における点字レイアウトの位置と一致しているか否かで設定される。この場合、正方向打刻処理と逆方向打刻処理とは、ラベルに対する処理方向が反対となるため、点字打刻部１５０に対する処理テープＴの手差し方向は、正方向打刻を行うときと、逆方向打刻を行うときとで逆方向となる。
【手続補正３６】
【補正対象書類名】明細書
【補正対象項目名】０１２１
【補正方法】変更
【補正の内容】
【０１２１】
指標印刷処理は、墨字印刷処理に先立って行われ、指標印刷は、墨字印刷部１２０における処理テープＴの送り方向先端部に行われる。すなわち、点字打刻部１５０に対する処理テープＴの手差し方向先端部に指標情報Ｇの印刷が為され、図２２に示すように、正方向印刷が行われるときにはラベルの先端部（図２２（ａ）参照）に、逆方向印刷が行われるときにはラベルの尾端部（図２２（ｂ）参照）に指標情報Ｇが印刷される。
【手続補正３７】
【補正対象書類名】図面
【補正対象項目名】図２２
【補正方法】変更
【補正の内容】
【図２２】
2006051798.tif 000001